(57)【特許請求の範囲】
【請求項１】
収納庫の開口等に設けた個別のレールに沿って左右移動可能に配置された外戸と中戸と内戸の３枚の引き戸をグループとなす引き戸の裏側に、一端を互いに開閉可能に連結した１対のリンクバーを、前記リンクバーの連結部を頂点とする略２等辺三角形をなす形態で他端側を外戸と内戸の各右側端近傍に枢支し、且つ前記リンクバーの連結部は中戸右側端近傍に形成した案内レールに沿って上下動可能に支持するとともに、前記内戸側リンクバーにはその枢支点近傍からリンクバーの回動面に沿う半径方向に突出する突起が形成され、一方、内戸には、左側端近傍に錠前を取り付けるとともに、該錠前の操作片端部と、３枚の引き戸が最も伸張した際の前記リンクバーの回動姿勢におけるリンクバーの突起端部との間に亘り内戸裏側に可動的に支持した操作杆を設け、該操作杆端部は、前記錠前操作片端部およびリンクバー突起端部のいずれか一方とは係合または連結して連動し且つ他方とは前記錠前の操作片の操作により相手方と当接または係止するように、一端には前記係合部または連結部および他端には前記当接部または係止部を形成し、前記錠前に挿入した鍵を操作すると錠前の操作片が作動し、前記リンクバー突起端部の引き戸開方向の回動を規制する関係に設定された施錠機構を備えてなり、該施錠機構により、前記引き戸同士の相対移動を直接的に規制せずに、前記一対のリンクバーの回動を規制することにより前記引き戸同士の相対移動を間接的に規制してなる連動開閉式引き戸。
【請求項２】
錠前の操作片が、先端部に貫通孔が形成され且つ鍵穴に挿入した鍵の操作で垂直面に沿って上下に進退動または回動する構成とする一方、操作杆は、基端側に軸方向略直角に曲折し前記操作片の貫通孔と係合する操作部を形成するとともに、先端側には操作杆の軸方向視で前記操作部と略直角方向に突出するロック部材を備え、前記操作部が前記錠前の操作片に係合し且つ３枚の引き戸が最も伸張した際に内戸側リンクバーの突起と前記ロック部材とが対峙する位置関係となるよう形成してなり、該操作杆を内戸裏側に回転可能且つ軸方向移動を規制するように支持し、錠前に挿入した鍵を操作すると、前記操作杆のロック部材が前後に回動してリンクバーの突起端部と当接または係合しリンクバーの閉動作が規制される関係に設定して構成された、請求項１記載の収納庫等の連動開閉式引き戸。
【請求項３】
錠前の操作片が、先端が凸部をなすかまたは先端に凹部を備え且つ鍵穴に挿入した鍵の操作で垂直面に沿って上下に進退動または回動する構成とする一方、操作杆は、先端を内戸側リンクバーの枢支部から突出する延長部先端に回動可能に連結されるとともに、中間部は内戸裏側に内戸の面に平行な面に沿って回動可能且つ長手向に摺動可能に支持され、且つその基端には前記錠前の操作片の凸部または凹部と係合する凹部または凸部を備えてなり、３枚の引き戸が最も伸張した際に、前記操作杆と操作片の凹部または凸部が互いに対峙する位置関係に設定され、錠前に挿入した鍵を操作すると前記操作片と操作杆の互いの凸部と凹部が係合して操作杆の引き戸開方向の動きが規制されるように構成された、請求項１記載の収納庫等の連動開閉式引き戸。
【請求項４】
引き戸を最も大きく開放した状態でも内戸側の引き手が隠れないように、内戸の左端に上下端に亘って前方突出する緩衝部を形成し、該緩衝部の内側空間に前記錠前を収めてなる請求項１〜３の何れかに記載の連動開閉式引き戸。
【発明の詳細な説明】
【０００１】
【発明の属する技術分野】
本発明は、連動開閉式引き戸の技術に係わり、更に詳しくは、収納庫や書棚や商品陳列ラックなどの開口に配置する引き戸の連動伸縮リンク機構に作用させて間接的に引き戸を施錠する施錠機構を備えた連動開閉式引き戸に関する。
【０００２】
【従来の技術】
収納庫等の前面開口に配置する少なくとも３枚以上の構成からなる連動開閉式引き戸は、２枚構成からなる引き戸よりも大きな開放幅を確保する必要から採用されるものであり、戸を最も広く開いた際の開放幅の数十ミリメートルの大小が商品価値を大きく左右し、開放幅を少しでも大きく確保することが極めて重要な課題となっている。
【０００３】
ところで、上記引き戸は、左側内戸と右側外戸とその間に挟まれる中戸とを開閉リンクバーで連結支持し、このリンクバーの伸縮に連動して開閉する構造であり、内戸は右方に外戸は左方に中戸は左右いずれかに動かすと連動して開口部の開放が可能である。そのため施錠機構は、少なくとも２枚以上の戸を収納庫本体の戸枠に係止する機構を備えるか、或いはいずれか２枚の戸の相対移動を規制する係止機構を備える必要がある。しかし、前者の場合、施錠箇所が複数となり施錠が面倒で施錠忘れも起こるほか、薄い戸では錠前や係止機構が他の戸と干渉しないように戸の幅を広げるなどして施錠部が他の戸と緩衝しない工夫が必要である。一方、後者の場合、錠前取付部における戸のオーバーラップを大きく（即ち戸の幅を広く）する必要がある。そして両者とも、内戸の引き手が中戸や外戸と重なり合って手を挟む恐れのない構造にするなどの配慮が必要である。これらの制約が戸の開放幅を大きく確保することを困難にしている。
【０００４】
一方、開閉動作で伸縮するように連結した１対のリンクバーのそれぞれの他端側を、リンクバー連結部を頂点とする略２等辺三角形をなす形態で外戸と内戸の内側にそれぞれ枢支するとともに前記リンク連結部を中戸に形成した案内レールに沿って上下動可能に支持し、３枚の引き戸が連動伸縮開閉するように構成し、一方、リンクバー連結部に向けて進退してこれと当接し連結部の上昇動を規制する規制部材を設け、この規制部材を外戸右方端近傍に設けた錠前の操作で進退動させる施錠機構を備えた引き戸もある。この場合、規制部材操作用操作杆を外戸から中戸側にオーバーラップする形態で支持するとともに、中戸のリンクバー案内レール部には規制部材進退用貫通窓を形成する必要性がある。そのため案内レールを中戸右方端よりも若干左方寄りに形成し、外戸の幅を中戸側に広げて中戸とのオーバーラップを大きくし、そのオーバーラップ部に規制部材を強固且つ安定姿勢で支持する必要がある。また、リンクバー案内レールが内戸と干渉するため中戸の左方移動量には制約がある。更に、内戸左方端の引き手が中戸や外戸に隠れて手が挟まれる事のないようにする必要性がある。これらの制約が引き戸の開放幅を十分大きく確保できない原因となっている。またこの場合、施錠機構の規制部材操作用操作杆は、中戸の案内レールに届く長さにし且つ規制部材の作動半径も大きくなるため、操作杆の操作力が大きく、支持構造を頑丈且つ高精度にする必要があり、組立と調整に時間がかかるのみならず、不用意に戸を開閉すると、施錠機構の変形や損傷が起こったり、リンクバー連結部が規制部材進退用の孔に引っ掛かって動かなくなったり、リンクバー連結部のローラーを損傷したり、等々の問題点もある。
【０００５】
【発明が解決しようとする課題】
前述の状況に鑑み本発明が解決しようとするところは、収納庫の開口等に設けた個別のレールに沿って左右移動可能に配置された外戸と中戸と内戸の３枚の引き戸をグループとなし連動伸縮機構で開閉する引き戸において、引き戸の開放幅が大きく確保できて、且つ、引き戸の連動伸縮機構と施錠機構の取付組立作業が簡単に行え、戸が円滑に開閉し、不用意な開閉操作に対しても連動開閉機構や施錠機構の変形・損傷が起こらず、操作性が良好で精度の高い施錠機構を備えた連動開閉式引き戸を提供することにある。
【０００６】
【課題を解決するための手段】
前述の課題解決のため、本発明の連動開閉式引き戸は、収納庫の開口等に設けた個別のレールに沿って左右移動可能に配置された外戸と中戸と内戸の３枚の引き戸をグループとなす引き戸の裏側に、一端を互いに開閉可能に連結した１対のリンクバーを、前記リンクバーの連結部を頂点とする略２等辺三角形をなす形態で他端側を外戸と内戸の各右側端近傍に枢支し、且つ前記リンクバーの連結部は中戸右側端近傍に形成した案内レールに沿って上下動可能に支持するとともに、前記内戸側リンクバーにはその枢支点近傍からリンクバーの回動面に沿う半径方向に突出する突起が形成され、一方、内戸には、左側端近傍に錠前を取り付けるとともに、該錠前の操作片端部と、３枚の引き戸が最も伸張した際の前記リンクバーの回動姿勢におけるリンクバーの突起端部との間に亘り内戸裏側に可動的に支持した操作杆を設け、該操作杆端部は、前記錠前操作片端部およびリンクバー突起端部のいずれか一方とは係合または連結して連動し且つ他方とは前記錠前の操作片の操作により相手方と当接または係止するように、一端には前記係合部または連結部および他端には前記当接部または係止部を形成し、前記錠前に挿入した鍵を操作すると錠前の操作片が作動し、前記リンクバー突起端部の引き戸開方向の回動を規制する関係に設定された施錠機構を備えて構成し、該施錠機構により、前記引き戸同士の相対移動を直接的に規制せずに、前記一対のリンクバーの回動を規制することにより前記引き戸同士の相対移動を間接的に規制するものである。
【０００７】
なお、上記において、錠前の操作片を、先端部に貫通孔が形成され且つ鍵穴に挿入した鍵の操作で垂直面に沿って上下に進退動または回動する構成とする一方、操作杆は、基端側に軸方向略直角に曲折し前記操作片の貫通孔と係合する操作部を形成するとともに、先端側には操作杆の軸方向視で前記操作部と略直角方向に突出するロック部材を備え、前記操作部が前記錠前の操作片に係合し且つ３枚の引き戸が最も伸張した際に内戸側リンクバーの突起と前記ロック部材とが対峙する位置関係になるように形成し、該操作杆を内戸裏側に回転可能且つ軸方向移動を規制するように支持し、錠前に挿入した鍵を操作すると、前記操作杆のロック部材が前後に回動してリンクバーの突起端部と当接または係合しリンクバーの閉動作が規制される関係に設定して構成すると好ましい。
【０００８】
或いは前記とは別に、錠前の操作片を、先端が凸部をなすかまたは先端に凹部を備え且つ鍵穴に挿入した鍵の操作で垂直面に沿って上下に進退動または回動する構成とする一方、操作杆は、先端を内戸側リンクバーの枢支部から突出する延長部先端に回動可能に連結されるとともに、中間部は内戸裏側に内戸の面に平行な面に沿って回動可能且つ長手向に摺動可能に支持され、且つその基端には前記錠前の操作片の凸部または凹部と係合する凹部または凸部を備えてなり、３枚の引き戸が最も伸張した際に、前記操作杆と操作片の凹部または凸部が互いに対峙する位置関係に設定され、錠前に挿入した鍵を操作すると前記操作片と操作杆の互いの凸部と凹部が係合して操作杆の引き戸開方向の動きが規制されるように構成してもよい。
【０００９】
ここで、引き戸を最も大きく開放した状態でも内戸側の引き手が隠れないように、内戸の左端に上下端に亘って前方突出する緩衝部を形成し、該緩衝部の内側空間に前記錠前を収めてなると好ましい。
【００１０】
本明細書では、収納庫等の開口部に配置した３枚構成の連動開閉式引き戸において、引き戸または連動開閉機構が最も伸張した状態とは引き戸が開口部を閉めた状態を言い、また、外戸とは開口部外側の右側、内戸とは開口部内側の左側、中戸とは外戸と内戸の間の中央にそれぞれ配置される引き戸をそれぞれ言う。従って、外戸と内戸とをこれとは左右逆配置する引き戸においては、連動開閉機構と施錠機構は本明細書に記載の内容を左右反転配置して読み替えるものとする。
【００１１】
【発明の実施の形態】
つぎに本発明の実施の形態を添付図面に基づき更に詳細に説明するが、本発明は、添付図面に限定されず特許請求の範囲に記載の要件を満たす実施形態の全てを含むものである。図１に本発明に係る連動開閉式引き戸を備えた収納庫、図２にその引き戸を開いた状態をそれぞれ示し、図３には前記収納庫の正面からみて、引き戸を閉め状態（ａ）と開いた状態（ｂ），（ｃ）における連動開閉機構および施錠機構との関係（破線で図示）とともに示している。そして、図４には本発明に係る連動開閉式引き戸の連動開閉機構と施錠機構の実施形態を引き戸裏側から見た状態で示し、図５には図４の引き戸を途中まで開いた状態を、図６には引き戸正面を手前側にして上方から見た状態を、また、引き戸を開いた状態における同じ角度から見た図を図７にそれぞれ示す。なお、図８には連動開閉機構と施錠機構の構成部材の連結構成を引き戸の前方斜め上方から見た状態で示し、そのうち施錠機構の施錠状態は２点鎖線で示している。また、図９はリンクバーを上下反転姿勢で取り付けた実施例における施錠機構の側面を拡大して示している。
【００１２】
添付図面において、連動開閉式引き戸５は、収納庫１の前面開口端部に形成された個別のレール４に沿って左右移動可能に配置された外戸６と中戸７と内戸８の３枚引き戸の構成からなる。その基本構成は、引き戸（６，７，８）の裏側に、一端を互いに開閉動作で伸縮可能に連結した１対のリンクバー９，１０の他端側をリンクバー９，１０の連結部１１を頂点とする２等辺三角形をなす姿勢で外戸６と内戸８の各右側端近傍の下方に枢支ピン１７，１８を介して枢支し、リンクバー９，１０の連結部１１を中戸７の右側端近傍に形成した垂直の平行案内レール１４に沿って上下動可能に支持し、リンクバー９，１０の開閉と連動して３枚の引き戸（６，７，８）が伸縮開閉する構成にしている。そして、内戸側リンクバー１０にはその枢支点から僅かに延長した部分にリンクバー１０の回動面に沿う半径方向斜め上向きに突出する突起２１が形成される一方、内戸８には、左側端に錠前２２を取り付け、錠前２２に挿入した鍵３６（図９参照）の操作で作動する操作片２７の端部と係合する操作部３０を基端に備え且つ先端にはリンクバー１０の突起２１の回動を規制するロック部材３１を固設してなる操作杆２９を内戸８の裏側に可動的に取着し、３枚の引き戸が最も伸張した際のリンクバー９，１０の回動姿勢にて錠前２２に鍵３６を挿入して操作すると操作片２７が上下に進退動し、操作杆２９がこれに従動して回転し、リンクバー１０の突起２１の端部に対し操作杆２９先端のロック部材３１が当接し、リンクバー１０の収縮方向回動を規制するように構成された施錠機構２０を備えて構成されている。
【００１３】
つぎに、上記構成からなる連動開閉式引き戸５の各部材構造を以下に順次詳しく説明する。まず、収納庫１には、収納庫本体２の前面開口３に形成された３本の平行レール４に沿って左右移動可能に外戸６と中戸７と内戸８がはめられている。これらの引き戸は、平坦な矩形の前板部材と、その隅部を切り込んで周辺端部を直角内側に折り曲げ且つその端部を更に中心に向け直角に折り曲げて断面略コ字状に形成したコーナー部とを有するパネル状に成型され、且つその下端は図９に示すように全幅に亘って凹溝が形成され、その凹溝部には複数の車輪が取着されている。そしてこの凹溝部を収納庫本体２のレール４上にはめ込み、レール４上を車輪が転動することにより戸は円滑に左右移動が可能である。なお、中戸７と内戸８はほぼ同幅である。そして中戸７右側端には垂直の前記コーナー部１５とこのコーナー部１５から離隔してこれと平行に固着した垂直の案内部材１６とにより案内レール１４が形成されている。一方、外戸６は、前記リンクバー９の枢支ピン１７の取付部左端が中戸７の右側端と当接する位置で外戸６と中戸７の左側端がほぼ重なる状態まで相対移動可能な関係に設定され、外戸６左端が中戸７左端とほぼ重なった状態では外戸６の右端が中戸７の右端よりも枢支ピン１７取付部の幅だけ張り出している。また、外戸６の右端と内戸８の左端には表側にそれぞれ引き手３４，３５が設けられている。
【００１４】
案内レール１４については、中戸７の右側端コーナー部１５と、コーナー部１５から離隔し中戸７裏面に垂直に固設した案内部材１６とで構成される。案内部材１６は、中戸７の前板部材裏面に接合する接合部とその接合部から直角内側に曲折した案内側壁とその案内側壁端を更に直角右方に折り曲げて形成した外れ止め１６ａとを有している。そして垂直のコーナー部１５とそれに対向する案内部材１６の外れ止め１６ａとの端部間が案内部材１６の上下端に亘って垂直の開口となり横断面が略矩形の溝型垂直案内部を形成してなる。
【００１５】
つぎに、前記引き戸（６，７，８）の連動伸縮開閉機構は、外戸６および中戸７の幅以上の長さを有する１対の同寸リンクバー９，１０の一端を連結ピン１２で開閉可能に連結するとともに、連結部１１には連結ピン１２の内側端部にローラー１３を回転可能に装着し、ローラー１３を中戸７の案内レール１４の溝内に挿入して案内部材１６の外れ止め１６ａで脱輪しないように且つ上下動可能に支持する。一方、リンクバー９，１０の他端は、外戸６と内戸８の内側右方端下方に枢支ピン１７，１８を挿入して戸の裏面に取り付けた取付部材を介してそれぞれ枢支し、リンクバー９，１０が連結部１１を頂点とし枢支ピン１７，１８間を底辺とする２等辺三角形となるようにして連結構成する。そして、リンクバーの連結部１１と前記案内レール１４との関係は、連結ピン１２の先端を案内レール１４の垂直開口から溝内部に挿入し、その溝内部にローラー１３が位置し、リンクバー９，１０は案内レール１４の内端に近接する外側（収納庫１の収納部側）に位置する関係で配置される。これにより、外戸６の引き手３４を左にまたは内戸８の引き手３５を右に或いは中戸を左右いずれかに引くと、枢支ピン１７，１８が近寄ってリンクバー９，１０が閉じて（即ち収縮して）連結部１１が案内レール１４に沿って上昇し、３枚の引き戸が連動収縮して戸の開放幅が広がる。なお、反対に、外戸６を右方にまたは内戸８を左方に引くと、枢支ピン１７，１８が遠ざかってリンクバー９，１０が開いて（伸張して）連結部１１が下降し、引き戸６，７，８は左右に連動伸張して開口３を閉じる。
【００１６】
つぎに、上記のように連動収縮して開閉作動するように構成された引き戸（６，７，８）の施錠機構２０について説明する。まず、内戸８は、前述の説明に補足すると図６，７に示す様に、内戸８の左端側に戸の上下端部に亘って前板部材を一旦前方に曲折し更に横断面略コ字状に曲折させ後方が開口する垂直の細い空間を有する緩衝部８ａを形成するとともに、緩衝部８ａ前面には引き手３５を装着し且つ引き手３５近傍の緩衝部８ａ前端面に戸の裏側に通じる貫通孔を形成する。この貫通孔には、シリンダー支持体２４と、シリンダー支持体２４に支持され前端に鍵穴２３を有するシリンダー２５と、シリンダー２５の後端に係合しシリンダー２５の回転により垂直上下方向に進退動する操作片２７とを有してなる錠前２２を挿入し、シリンダー支持体２４部分を緩衝部８ａの前端面で固定して錠前２２を取着する。
【００１７】
つまり、錠前２２のシリンダー２５は、鍵穴２３がシリンダー支持体２４の前面即ち内戸８の緩衝部８ａの前面に露出し、この鍵穴２３に鍵３６を挿入してシリンダー２５を回転すると操作片２７が上下する。なお、操作片２７には先端部に後述の操作杆２９の操作部３０を挿入してルーズに係合させる貫通孔２８が形成されている。
【００１８】
つぎに、内戸８の右側端下方に枢支されるリンクバー１０の枢支ピン１８近傍には、予めリンクバー１０の僅かに延長する部分から斜め上方に向けて突起２１が突出形成されている。この突起２１は、リンクバー１０の端部に一体形成するかまたは別部材を溶接等で固着して形成するかそのいずれかにより形成する。突起２１は、３枚の引き戸が最も伸張した際、即ち引き戸（６，７，８）が開口３を閉め切った際のリンクバー９，１０の回動姿勢にて、略垂直上方に向く関係に形成され、引き戸が収縮して開く際にはリンクバー１０の突起２１は前方から見て反時計方向、即ち先端が左方に回動する関係に構成されている。
【００１９】
そして、基端側には錠前２２の操作片２７先端の貫通孔２８とルーズに係合する操作部３０と、先端側にはリンクバー１０の突起２１先端と当接可能なロック部材３１とを備えてなる操作杆２９を、内戸８の裏側に支持部材３２によって回転可能且つ軸方向移動を規制する形態で取り付ける。
【００２０】
つまり、前述の連動開閉式引き戸の施錠機構２０は、以上に述べた錠前２２と操作杆２９とリンクバー１０の突起２１とが互いに連係して引き戸の収縮動つまり開動作を間接的に規制するように構成されてなる。
【００２１】
錠前２２は、基本的には内戸８左端の表側に露出する鍵穴２３に挿入した鍵３６を操作してシリンダー２５を回転するとシリンダー２５後端に係合する操作片２７が垂直面に沿って上下に進退動または回転し、その結果操作片２７先端部に形成された貫通孔２８が上下動する様に構成するだけでよい。ただし前述のように、内戸８左端に上下端に亘って前方突出する緩衝部８ａを形成し、この緩衝部８ａの内側空間に錠前２２が収まるようにして錠前２２のシリンダー支持体２４を緩衝部８ａの前端に取り付けて固定する構成にすると一層都合がよい。これにより、内戸８は左端部を除く全体を薄型構造にすることができ、且つ、収納庫１の収納部奥行方向への施錠機構２０の出っ張りが少なくなり、施錠機構２０と収納物との干渉が回避されて都合がよい。
【００２２】
施錠機構２０の操作杆２９は、基端側には軸方向略直角に操作杆２９を曲折して操作部３０を形成するとともに、先端側には、操作杆２９の軸方向視で操作部３０に対し時計方向に９０°位相を変えて直角に突出するロック部材３１を固設して形成され、内戸８裏側に取着された支持部材３２により、先端近傍を回転可能且つ軸方向移動が規制されるように支持され、操作部３０が錠前２２の操作片２７の貫通孔２８に対し略水平前方（収納庫外方）に向けてルーズに係合している。そして、操作杆２９を回転させると支持部材３２の内側壁に形成した貫通窓３３からロック部材３１が進出し、ロック部材３１の側端３１ａが、３枚の引き戸が最も伸張した際の内戸８側のリンクバー１０の突起２１先端左側の当接面２１ａに当接する関係に設定して構成されている。
【００２３】
操作杆２９の支持部材３２は適宜の形でよいが、例えば図示のように、内戸８の表板部材の裏面に上下が開口する薄いボックス状収容部を固設形成し、その収容部側壁に操作杆２９を貫通支持する穴を形成し、内側壁にはロック部材進退用貫通窓３３を形成した形態とすると好都合である。また図示はしないが、操作杆２９には、支持部材３２の側壁の穴を貫通する部分に環状の鍔部または溝部或いは突起などを形成し、支持部材３２の穴がこの鍔部または溝部或いは突起と当接して操作杆２９の軸方向移動を規制し回転を許容する係止構造をなすようにするとよい。なお操作杆２９の軸方向移動の規制については、図示の場合は、突起２１の反時計方向の回動つまりリンク操作杆９，１０の収縮動の方向のみを規制すればよい。突起２１が下方に向けて突出する場合については、操作杆２９先端ロック部材３１はの突起２１の右側端に当接させ、操作杆２９は右方向移動を規制する様に支持する。上記の操作杆支持構造により、操作杆２９が安定的且つ強固に支持され、しかもロック部材３１などが直接露出しないように支持部材３２の内部に収容し保護するため、収納庫内部の収納物を引っ掛けて損傷する事がない。
【００２４】
つぎに、この施錠機構２０の作用について説明する。３枚の引き戸が最も伸張した際、つまり引き戸が開口３を閉め切った状態において、錠前２２を操作してシリンダー２５を回転すると、操作片２７が上昇して、操作片２７の貫通孔２８とルーズに係合する操作杆２９の操作部３０が先端視時計回りに回転する。これに伴い、支持部材３２の内側保護壁に形成した貫通窓３３から収納庫内方に向けてロック部材３１の先端が回転進出し、ロック部材３１の側端３１ａがリンクバー１０の突起２１先端左側の当接面２１ａに当接して突起２１の反時計方向の回動を規制する。その結果リンクバー１０（および９）の収縮動、つまり引き戸（６，７，８）の開動作が規制される。
【００２５】
つぎに本発明に係る連動開閉式引き戸の変形実施形態について説明する。上記は、突起２１の先端当接面２１ａをロック部材３１の右側側端３１ａに当接させてリンクバー１０の収縮動を規制し引き戸の連動開動作を間接的に規制する形態を説明しているが、これとは別に、突起２１とロック部材３１とを係合させて引き戸の開動作を間接的に規制することもできる。即ち、個別の変形実施形態の図示は省略するが、リンクバー１０の突起２１先端部に先端が若干幅広の溝形係合切欠を形成するとともに、操作杆２９先端のロック部材３１の先端部が回動して進出した際にこの係合切欠に係合してリンクバー１０の収縮動を規制する形態、またこれとは反対に、ロック部材３１先端に先端が若干幅広の溝形係合切欠を形成するとともに、ロック部材３１が進出した際にその係合切欠に突起２１先端が係合してリンクバー１０の収縮動を規制する形態、このいずれかの形態にする。この突起とロック部材とが溝形係合切欠と係止突起部との組み合わせで係合する実施形態の場合、突起２１の左右両方向回動に対しこれを規制可能である。そのため、リンクバー１０が伸張した際の突起２１の向く方向は比較的自由に設定でき突起は上記説明と逆向きにしてもよい。
【００２６】
また、リンクバー９，１０の取付に関する変形実施形態として、上記説明とは逆向きのＶ字状つまりリンクバー９，１０を上下反転姿勢で連結部１１を頂点とする倒立２等辺三角形をなす形態に取り付けてもよい（図９参照）。その場合、図示はしないが、リンクバーの他端は外戸６と内戸８の右側端上方に枢着し、案内レールは中戸の右側端下方に設ける。そしてリンクバー１０の突起２１は３枚の引き戸が伸張して開口を閉め切った状態のときに略垂直下方に向けて突出する関係に設定し、施錠機構は、３枚の引き戸が伸張して開口を閉め切った状態のときに錠前２２に鍵３６を挿入して回転操作すると、リンクバーの突起先端に当接または係合して、リンクバーの収縮動を規制する形態にすればよい。
【００２７】
錠前２２の作動を操作片と操作杆などを介しリンクバーの回動を規制する機構としては、種々の実施形態が選択可能である。上記説明のように、シリンダー２５の回転操作で操作片２７を垂直上下方向に進退する方式の場合、操作片２７の進退動で操作杆２９を回転させるため、操作杆２９基端を直角に曲折形成した操作部３０を形成する一方、操作片２７の貫通孔２８は上下に長い長孔とし、この貫通孔２８に前記操作部３０がルーズに係合する形態としている。ただしこのほかにも、図示は省略するがさまざまな実施形態が選択できる。例えば、操作片をシリンダー２５とともに回転する方式にする場合は、操作片先端を右方に向け、その先端部に水平方向略Ｕ字状の開口を形成するかまたは横長のルーズな貫通孔を形成するようにしてもよい。また、シリンダー２５の回転を例えば傘歯車機構の形態で操作杆２９に伝達させて操作杆２９を回転させる機構にしてもよい。或いは、操作片をシリンダー２５の回転により操作杆２９を軸方向に進退させる機構に構成してリンクバー１０の突起先端に当接させる方式としてもよい。或いは更に、シリンダー２５の回転と連動して操作杆２９が上下揺動するように内戸８の裏面に中間部を揺動可能に支持し、その操作杆先端に固設したロック部材をリンクバー１０の突起先端に当接または係合させる方法も採用可能である。
【００２８】
つぎに、本発明に係る連動開閉式引き戸の施錠機構に関し、上記と異なる実施形態を図１０、１１に基づいて説明する。図１０は、施錠機構の別の実施例を引き戸の裏側から見た図で、図１１にはこの別の実施例の施錠機構が解除され引き戸を開いた状態を示している。なお、図１０，１１においては、前述の図４〜図８に対する説明と同じ部材については同じ符号を用いて示している。
【００２９】
図１０，１１において、引き戸６，７，８の連動開閉機構は、詳細な説明は省略するが前述の説明と同様、一端を連結ピン１２で回動可能に連結するとともに他端を外戸６と内戸８の裏側右側端（図１０では左側端）近傍に枢支ピン１７，１８を介し回動可能に枢支したリンクバー９，１０の連結部１１を、中戸７裏側の右側端（図１０では左側端）に垂直に形成された案内レール１４に沿って上下動可能に支持して構成している。一方、施錠機構４０は、内戸８左側端近傍に取り付けた錠前２２と、錠前２２のシリンダー後端に係合してシリンダーの回転操作に連動して錠前２２後端から上下進退する操作片４８と、引き戸６，７，８の連動開閉機構の内戸８に枢着されたリンクバー１０枢支部から延長するリンクバー延長部４１と、リンクバー延長部４１の先端に回動可能に連結され且つ内戸８の裏側に長手方向の摺動と内戸８の面に沿う回動とが可能に支持された操作杆４３とによって構成され、操作杆４３の先端には、錠前２２操作片４８の先端係止部４９が係合して操作杆４３を係止する係合凹部４７が形成されている。
【００３０】
つぎに、施錠機構４０の詳細構造を説明する。内戸８左側端近傍には錠前２２が前述の説明と同様に取り付けられ、錠前２２には錠前のシリンダー後端に係合してシリンダーの回転操作に連動して錠前２２後端から上下進退する操作片４８を有している。なお、操作片４８先端には後述の操作杆４３先端の係合凹部４７と係合し操作杆４３を係止する凸状の先端係止部４９を備えている。つぎに、リンクバー１０には、前述の図４などの説明における突起２１に相当する枢支ピン１８部分から延長するリンクバー延長部４１を形成し、その先端に貫通孔を形成している。該貫通孔にはリンクピン４２を装着し操作杆４３の一端を回動可能に連結する。操作杆４３は、他端側に長手方向に沿う平行な長穴からなるガイド部４６が形成されるとともに、更にその先の操作杆端部には、前記錠前２２の操作片４８先端係止部と係合可能な下向き凹状の係合凹部が形成されている。そして、内戸８の裏側に固設した支持部材４４に突設した支点ピン４５により、操作杆４３のガイド部４６を内戸８の面と平行な面に沿って回動可能且つ長手方向に摺動可能に支持する。
【００３１】
以上の構成部材により、操作杆４３がリンクバー１０と連動して（即ち引き戸６，７，８の開閉に連動して）回動と長手方向の摺動とを行い、３枚の引き戸が最も伸張した際のリンクバー１０の回動姿勢においては操作杆４３の係合凹部４７が錠前２２の操作片４８の先端係止部４９と対峙する関係に設定する。この３枚の引き戸が最も伸張した際に、錠前２２に鍵３６を挿入して操作すると錠前２２の操作片４８が上方に進出し、操作片４８の先端係止部４９が操作杆４３端部の係合凹部４７と係合して操作杆の長手方向の動きを係止することができる。その結果として、錠前２２の操作片４８が操作杆４３を介してリンクバー１０のリンクバー延長部４１の引き戸開閉いずれの方向の回動をも規制すること可能である。
【００３２】
なお、図示は省略するがこの実施例においては、操作杆４３と操作片４８との係合係止機構は、係合凹部と先端係止部とをそれぞれ互いに反対側に形成し、操作杆４３の他端に係止部を下方に向け突設するとともに操作片４８の先端に操作杆の係止部に係合する係合凹部を形成した構成としてもよい。一方、同じく図示は省略するが、錠前の操作片は錠前のシリンダーの回転操作によって上下に進退動する形態に限らず、回転操作片にしてもよい。その場合、操作杆の他端には係合凹部に代えて下方突出する突起を形成するとともに、錠前側の回転操作片には周端部に前記操作杆の突起に対向した当接する当接部を突出形成する。そして、錠前に鍵を挿入すると回転操作片の回転操作が可能となる機構（図示しない）を錠前に内蔵する。この場合鍵を錠前に挿入して回転すると回転操作片が回転し、前記当接部が操作杆の前記突起に当接した状態で鍵を抜き取ると回転操作片がその位置で係止され、操作杆を係止して連動開閉式引き戸の開動作を規制することが可能となる。更に、操作杆の支持構造に関しては、前述の平行長穴からなるガイド部４６と支点ピン４５とで構成される案内手段に代えて、図示は省力するが、操作杆（４３）を外から抱える断面が略Ｃ型または操作杆の断面と同形状の案内部を有する摺動片の側端を支持部材４４に対し回転可能に枢着し、この摺動片の前記案内部に操作杆を長手方向摺動可能に装着支持する構成としてもよい。
【００３３】
上記いずれの実施例においても、連動開閉式引き戸の内戸８と中戸７とを、図示の状態から相対的な幅寸法を若干変えると都合がよい。即ち、内戸８の右側端が案内レール１４左側端に当接した状態で中戸７の左側端が内戸８のシリンダー支持体２４近傍位置（または緩衝部８ａの右側端）に位置し且つ引き手３５が隠れない関係位置にあるような寸法関係に設定する一方、その状態において、外戸６がリンクバー９の枢支ピン１７が中戸７の右側端に当接し且つ外戸６の左側端が中戸７の左側端とほぼ一致する位置にあるような寸法関係に設定する。そしてこの３枚の引き戸（６，７，８）が最も伸張して外戸６の右側端と内戸８の左側端が収納庫本体２の開口３の両側端に当接して開口３を締め切った際に、中戸７の左右側端と内戸８および外戸６とのオーバーラップ量が必要最低限確保される幅関係に設定する。以上の様な関係に設定すると、戸の開放幅を最大限まで広げることが可能となる。本発明の連動開閉式引き戸においては、戸を閉めた際の各戸の重なり部にロック機構を形成する必要が無いので、戸を閉めた際の戸のオーバーラップ量をごく僅かにすることが可能であり、開放幅を最大限まで広げる設計が可能であり、しかも最も大きく開放した際においても内戸側の引き手が隠れないので手の指を挟むことがない。
【００３４】
また、本発明に係る連動開閉式引き戸は、上記説明のような外戸と中戸と内戸からなる３枚構成の引き戸のほか、４枚以上の構成からなる引き戸にも応用が可能である。図示は省略するが、例えば４枚構成の引き戸の場合は、２対のリンクバーを準備し、第１の１対のリンクバーを左端側から右方に数えて３枚目までの引き戸を第１グループとして、上記と同一の構成に連結するとともに左端側内戸に錠前と施錠機構を上記と同様の形態に取り付ける一方、２枚目から４枚目までの引き戸を第２グループとして第２の一対のリンクバーを上記と同様に或いは上下逆転した形態に取り付けて連結し、４枚の引き戸全体が連動開閉し、且つ１つの錠前操作で全体がロックされる連結構成とする。また、５枚以上の構成からなる引き戸の場合も同様の要領で順次連結構成することで全体が連動開閉し、且つ１つの錠前操作で全体がロックされる連結構成とすることができる。つまり、本発明に係る連動開閉式引き戸は、３枚構成に限らず４枚以上の構成からなる場合も含め応用が可能であり、収納庫等に用いるほか、工場や倉庫などといった建物の出入り口に設ける扉にも応用ができる。
【００３５】
なお、１対のリンクバー９，１０は、連結部１１を頂点とする２等辺三角形をなす形態で外戸６と内戸８の各右側端の同一レベルに他端を枢支すると、連結部１１が垂直に上下動するので、中戸７の案内レール１４は中戸７の右側端に沿って垂直に形成すればよく、この形態が最も理想的である。ただし、本発明の連動開閉式引き戸は、リンクレバー９，１０の枢支点レベルを不均等にしたり或いは連結部から枢支点までの長さを若干不均等にした場合でも実施可能である。枢支点のレベルを不均等にしたりリンクバーの長さを不均等にすると、引き戸を開閉した際にリンクバー連結部１１が垂直に対し若干傾いて緩やかな曲線状の軌跡で上下動するため、案内レール１４をその軌跡に合致するように形成すればよい。その場合、案内レールの取付スペースが案内レールの傾きに応じて戸の幅方向に若干広がり、案内レールと内戸との干渉を避けるための幅が必要となり引き戸の開放幅は若干狭くなる。
【００３６】
【発明の効果】
以上にしてなる請求項１に係る発明の収納庫等の連動開閉式引き戸は、開閉伸縮式リンクバーの両端を外戸と内戸の右側端に枢支し且つ中間連結部を中戸右側端に上下動可能に支持して３枚の引き戸が連動開閉する構成にし、且つ、内戸側リンクバーの枢支点近傍から突出する突起と内戸左側端に取り付けた錠前との間に操作杆を介在させ、錠前の操作で操作杆を介してリンクバーの突起が引き戸開方向に回動する動作を規制する施錠機構を備えてなり、該施錠機構により、前記引き戸同士の相対移動を直接的に規制せずに、前記一対のリンクバーの回動を規制することにより前記引き戸同士の相対移動を間接的に規制するものである。この構成にしたことにより、戸を開く際には、外戸右側端のリンクバー枢支ピンが中戸右側端に当接する状態まで重ね合わせるととともに、中戸および外戸は左側端が内戸の左側端の鍵穴および引き手が隠れない限界位置まで重ね合わせる事が可能となった。つまり、開放幅を極めて広くすることが可能となった。一方、中戸とリンクバー案内レール部とを貫通して中戸内側に位置するリンクバーに向けて進退する規制部材を設ける必要が無いので、案内レール部には貫通孔などの障害物が無くリンクバー連結部が円滑に上下動し、且つ、施錠機構の操作杆先端を中戸側にオーバーラップさせないため、操作杆およびロック部材が短寸となり内戸内のみで安定姿勢で強固に支持できる。従って、リンクバーと施錠機構の各構成部材の取付と組立作業が簡単且つ容易に行えるとともに、戸の不用意な開閉操作に対しても連動開閉機構や施錠機構に変形・損傷・摩耗が起こらず、施錠の操作力も軽快に行え操作性が良好であるといった作用効果を奏する。
【００３７】
また、本発明の請求項２に係る発明の連動開閉式引き戸は、請求項１の基本構成概念をもとに最も好ましい施錠機構の実施形態を具体的構成で示すもので、その作用効果は上記と同様であるが、このような構成にすることにより、錠前と操作杆の各部材の取付と組立調整作業が極めて簡単に行え、操作性が良好で高精度の施錠機構を備えた連動開閉式引き戸を低価格で提供することが可能となる。
【００３８】
一方、請求項３に係る発明は、操作杆が引き戸の開閉動作に伴って錠前の操作片に対し遠近する様にしたので、錠前で操作杆を回転したり移動したりする必要が無くなり、錠前は操作片だけを進退動または回転操作すればよく、上記の作用効果に加え施錠と解錠が行えるといった効果がある。
【００３９】
さらに、請求項４に係る発明は、内戸の左端に上下端に亘って前方突出する緩衝部を形成して、連動開閉式引き戸を最も開いた状態でも、内戸の引き手が隠れない構成となっているので、手の指を挟むことがないといった効果がある。また、該緩衝部の内側空間に錠前が収められているので、内戸は左端部を除く全体を薄型構造にすることができ、且つ、収納庫の収納部奥行方向への施錠機構の出っ張りが少なくなり、施錠機構と収納物との干渉が回避されるといった効果がある。
【図面の簡単な説明】
【図１】本発明に係る連動開閉式引き戸を備えた収納庫の外観を前方斜め上方からみた図である。
【図２】図１の収納庫において引き戸を左方に寄せて開いた状態を示す図である。
【図３】図１の収納庫の正面図を示し、（ａ）は図１の状態、（ｂ）は図２の状態、（ｃ）は引き戸を右方に寄せて開いた状態で、内部の連動開閉機構と施錠機構を破線で示している。
【図４】本発明に係る連動開閉式引き戸の実施例を示し、連動開閉機構と施錠機構を引き戸裏側から見た部分図である。
【図５】図４の連動開閉式引き戸を途中まで開いた状態を示す図である。
【図６】図４の連動開閉式引き戸を正面を手前側にして上方から見た拡大断面図である。
【図７】図４の連動開閉式引き戸を正面を手前側にして上方から見た断面図で引き戸を開いた状態で示している。
【図８】本発明に係る連動開閉式引き戸における連動機構と施錠機構の構成部材の連結構成を前方斜め上方から見た斜視図で、施錠機構は施錠状態を２点鎖線で示している。
【図９】リンクバーを上下反転姿勢で取り付けた連動開閉式引き戸の実施例における施錠機構を側方から見た拡大側面図である。
【図１０】本発明に係る連動開閉式引き戸の他の施錠機構の別の実施形例を示し、連動開閉機構と施錠機構を引き戸の裏側から見た図である。
【図１１】図１０の施錠機構が解除され引き戸を開いた状態を示す図である。
【符号の説明】
１  収納庫
２  収納庫本体
３  開口
４  レール
５  連動開閉式引き戸
６  外戸
７  中戸
８  内戸
８ａ  緩衝部
９，１０  リンクバー
１１  連結部
１２  連結ピン
１３  ローラー
１４  案内レール
１５  コーナー部
１６  案内部材
１６ａ  外れ止め
１７，１８  枢支ピン
２０  施錠機構
２１  突起
２１ａ  当接面
２２  錠前
２３  鍵穴
２４  シリンダー支持体
２５  シリンダー
２６  ピン
２７  操作片
２８  貫通孔
２９  操作杆
３０  操作部
３１  ロック部材
３１ａ  側端
３１ｂ  係止部
３２  支持部材
３３  貫通窓
３４，３５  引き手
３６  鍵
４０  施錠機構
４１  リンクバー延長部（突起）
４２  リンクピン
４３  操作杆
４４  支持部材
４５  支点ピン
４６  ガイド部
４７  係合凹部
４８  操作片
４９  先端係止部
【図１】
0003630154.tif 000002
【図２】
0003630154.tif 000003
【図３】
0003630154.tif 000004
【図４】
0003630154.tif 000005
【図５】
0003630154.tif 000006
【図６】
0003630154.tif 000007
【図７】
0003630154.tif 000008
【図８】
0003630154.tif 000009
【図９】
0003630154.tif 000010
【図１０】
0003630154.tif 000011
【図１１】
0003630154.tif 000012